【手続補正書】
【提出日】平成16年12月27日(2004.12.27)
【手続補正１】
【補正対象書類名】明細書
【補正対象項目名】全文
【補正方法】変更
【補正の内容】
【書類名】  明細書
【発明の名称】  複数連結式スクロール圧縮機
【特許請求の範囲】
【請求項１】端面幅が一様な円柱内に中心軸に平行な壁面で形成される渦巻き状の壁面を有する溝ないしは端板に直立したラップを設けた固定スクロールと円形端板の片面に端板に垂直で一様な高さの渦巻き状突起で形成されるラップを設けた旋回スクロールの互いの渦巻き形状部を噛み合わせて圧縮室を形成するとともに旋回スクロ−ルに自転防止機構を連結したスクロ−ル圧縮機において、
（１）円柱の内側に設けた端面に平行な仕切り板の両側に溝深さが一様で等しいと同時に互いに鏡像の関係となる渦巻き形状をした第一固定溝と第二固定溝を設けた中央に円形の軸貫通穴とその穴から外周に向けて開けられた吐出孔から構成された両歯付きの固定スクロ−ル。
（２）およそ円形端板の片面に設けられた端板に垂直で一様な高さの渦巻き状壁面を有する突起の外周側を一定幅の第一旋回ラップで形成し、その内周側に形成する球根状の軸受ボスのおよそ中央部に軸受ボスと前記端板を貫通して両端面に開口する軸貫通穴の内壁に１個ないしは複数個で構成される旋回軸受を装着するとともに第一旋回ラップを設けた端板の裏側となる背面に自転防止機構の一部が構成された第一旋回スクロ−ル。
（３）およそ円形端板の片面に前記第一旋回ラップと同じ高さで鏡像の関係となる渦巻き形状の第二旋回ラップを固定するとともに第一旋回スクロ−ルと同様の旋回軸受と自転防止機構の一部を設けて構成された第二旋回スクロール。
（４）およそ円形の外周部を前記固定スクロ−ルの一端に固定し、中央部に主軸受を設けるとともに第一旋回スクロ−ルの端板間に装着される自転防止機構の一部が構成された第一フレーム。
（５）およそ円形の外周部を前記固定スクロ−ルの前記第一フレームの反対側の端面に固定し、中央部に副軸受を設けるとともに第二旋回スクロ−ルの端板間に装着される自転防止機構の一部が構成された第二フレーム。
（６）第一旋回スクロ−ルと第二旋回スクロ−ルそれぞれの旋回軸受に挿入される第一旋回軸と第二旋回軸を、回転中心に対する偏心方向を互いに１８０°対向させて設けるとともに互いの旋回軸間には第一旋回スクロ−ルに設けた旋回軸受の幅の２倍強の幅を有する連結部Ａを設け、また第二旋回軸と副軸との間には第一旋回スクロ−ルないしは第二旋回スクロ−ルに設けた旋回軸受の内で長い方の旋回軸受の幅の１倍強の幅を有する連結部Ｂを備え、さらには主軸と第一旋回軸との間及び副軸と第二旋回軸との間にそれぞれの大きさが同程度のバランサ−を設けたシャフト。
（７）第一旋回スクロール端板と第一フレ−ムとの間に設けた第一旋回スクロールの自転を防止する第一自転防止機構。
（８）第二旋回スクロール端板と第二フレ−ムとの間に設けた第二旋回スクロールの自転を防止する第二自転防止機構。
以上で構成された設けたことを特徴とする複数連結式スクロール圧縮機。
【請求項２】２つの圧縮室を分離する仕切り板を渦巻き溝底面に平行に２分割した面を掘り込んで設けた高低圧空間に連通しない密閉空間と作動室を連通するバイパス穴を仕切り板に設けるとともに該密閉空間内に前記バイパス穴を閉じるように弁機構を装着して構成した両歯付き固定スクロ−ルから構成されたことを特徴とする請求項１記載の複数連結式スクロール圧縮機。
【請求項３】およそ円柱の両端面に平行な仕切り板の両側に同じに巻き方向となる渦巻き形状の第一固定溝と第二固定溝を個別に設けた両歯付きの固定スクロ−ルの第一固定溝と第二固定溝それぞれに勘合する第一旋回ラップを設けた第一旋回スクロ−ルと第二旋回ラップを設けた第二旋回スクロ−ルを噛み合せてそれぞれ第一圧縮室と第二圧縮室を形成させるとともに前記第一旋回スクロ−ルと第二旋回スクロ−ルを互いに同期した旋回運動が行わせるように構成されたスクロ−ル圧縮機に於いて、第一固定溝と第一旋回ラップ間で形成される第一圧縮室の最小密閉空間の容積と第二固定溝と第二旋回ラップ間で形成される第二圧縮室の最大密閉空間の容積を同等に構成した上で前記最小密閉空間と最大密閉空間を連通する通路を両歯付きの固定スクロ−ルの仕切り板内に設けて２段圧縮機構を構成されたことを特徴とする複数連結式スクロール圧縮機。
【発明の詳細な説明】
【０００１】
【発明の属する技術分野】
本発明は、作動流体として気体を用いる冷凍空調用圧縮機や空気用圧縮機に利用される大容量化に適した複数連結式スクロール圧縮機に関する。
【０００２】
【従来の技術】
スクロ−ル圧縮機は通常２つの圧縮室を形成する１組の圧縮機構部から構成されているが、このような圧縮機の大容量化を図る場合の制約条件として圧縮室を形成する渦巻き状のラップ強度や旋回スクロ−ルの遠心力およびガス圧縮荷重を受ける軸受の耐久性さらには渦巻き状のラップを加工する機械の大きさ等が挙げられる。
【０００３】
これらの制約条件を克服する手段として、複数台の圧縮機を用いて１台当りの大きさを小さくするのと同じ考えから前記制約条件を満足する圧縮機構部を複数組結合して合計した圧縮機容量を拡大する手段がある。
【０００４】
これら複数組の圧縮機構部を隣接して設ける構成の１つに旋回スクロールの端板の両面に渦巻き状のラップを２個形成して２組の圧縮機構部を構成する両歯付き旋回スクロールが従来から提案されている。
【０００５】
この内、旋回スクロ−ル中心部に動力伝達軸を通すための軸貫通穴を有する両歯付き旋回スクロ−ルの公知例として、特開平９−１２６１５９号公報や特開平９−３２４７７０号公報が挙げられる。
また、固定スクロ−ルの中央端板を挟んで両面に２か所渦巻き状のラップを設けて２組の圧縮機構部を構成する両歯付き固定スクロ−ルの公知例として、特開平４−１０１０８９号公報や特開平４−１５９４７８号公報が挙げられる。
【０００６】
【発明が解決しようとしている課題】
本発明が解決しようとしている課題は、軸貫通穴のある両歯付き旋回スクロールでは、旋回スクロ−ルに円軌道上の公転運動を与えるための自転防止機構を構成上渦巻き状ラップよりも外側に突き出た端板外周に設けざるをえないことから圧縮機外径寸法が大幅に拡大する問題があった。
【０００７】
また、２組の圧縮機構分のガス圧縮荷重が同方向に同時に作用することによる軸受荷重増大や両歯に伴う旋回スクロ−ルの重量増大で遠心力が大きくなることで軸受荷重がさらに増大して耐久性が低下する問題や、この遠心力に釣り合うバランサ−も大きくなる問題があった。
【０００８】
さらには、旋回スクロ−ル端板両面にラップが固定されて一体となっているので、旋回スクロ−ルの軸方向の動きを制御して２か所のラップ先端隙間を調整してシ−ルするこができないのと旋回スクロ−ルに作用するスラスト力にアンバランスが生じた場合の制御が困難となり、振動の増大や信頼性及び性能が低下する問題があった。
【０００９】
また、固定スクロ−ルのラップを支える枠体に比べて剛性が相当低い旋回スクロ−ルの端板両面にラップを設けると加工精度が大幅に低下すると同時に運転時に作用する荷重や温度変化による大きな変形が生じて性能や耐久性を低下させる問題があった。
【００１０】
さらには、両歯付き固定スクロ−ルの構成に於いては、組み付け上から旋回スクロ−ル側の軸受径よりもフレ−ム側の軸受径が小さくなり負荷能力が低下する問題や軸受径が異なることから生産性が低下する問題があった。加えて、高低圧間の軸シ−ルがすべり軸受兼用となっているために損傷する問題があった。
【００１１】
本発明は圧縮機の大容量化を図るに際して、軸受負荷を分散させることにより信頼性を確保した上で小型軽量化と効率向上を同時達成できる空気圧縮機及び冷凍空調用圧縮機を提供することを目的とする。
【００１２】
【課題を解決するための手段】
以下、上記従来の課題を解決する手段について説明する。
【００１３】
高さが一様な円柱の中心軸に平行な壁面で形成される渦巻き状の壁面を有する第一固定ラップの先端面が円柱端面と同一平面上にあって渦巻き溝部が開口し、円柱のその反対面は渦巻き溝部の底面を形成する端板が設けられた固定スクロールと第一固定ラップの先端面に合わせた渦巻き形状が一致するすなはち互いに鏡像の関係となる渦巻き形状をした第二固定ラップを有する固定スクロ−ルの端板を互いに背面を合わせて一体として構成された仕切り板のその中央に設けた円形の軸貫通穴とその穴から外周に向けて開けられた吐出孔から両歯付き固定スクロ−ルが構成される。
【００１４】
そして、端板の片面の中央部には軸貫通穴を有する球根状の軸受ボスが設けられ、その外側には渦巻き状の壁面で形成される一定幅の一様な高さを有する旋回ラップを直立させて設けた第一旋回スクロ−ルとこれと鏡像の関係にある旋回ラップを設けた第二旋回スクロ−ルを前記固定スクロールの第一固定ラップと第二固定ラップそれぞれに適合するように噛み合わせて第一圧縮室１と第二圧縮室２を形成するとともに各軸貫通穴に通して旋回スクロ−ルを駆動するシャフトと各旋回スクロ−ル端板背面側にそれぞれ設けた自転防止機構から２組の圧縮機構部が構成される。
【００１５】
また第一及び第二旋回スクロ−ルの軸貫通穴内には旋回スクロ−ルの遠心力やガス圧縮荷重を直接支える旋回軸受が装着されている。そして、その荷重を支える軸受の幅は圧縮室を形成する旋回ラップの高さの中心点と旋回スクロ−ルの重心点間の距離におよそ等しく設定される。
【００１６】
次に渦巻き中心と旋回スクロ−ルの軸貫通穴の軸心の関係を渦巻き曲線にインボリュ−ト曲線を用いた場合について見ると、旋回ラップの一部である球根状のボスの外壁はインボリュ−ト曲線で形成され、そのボスのおよそ中心に設けた軸貫通穴の軸心はインボリュ−ト曲線の基礎円中心に対して偏心して設けられ、その偏心量は旋回半径の半分から旋回半径にラップ歯厚を加えた値の半分に設定される。
【００１７】
モータの動力を旋回軸受を介して旋回スクロ−ルに伝達するシャフトを両歯付き固定スクロ−ルの軸貫通穴と２個の旋回スクロ−ルに設けたそれぞれの軸貫通穴に通し動力源に近い第一フレ−ム中心部に設けた主軸受と第二フレ−ム中心部に設けた副軸受によりシャフトが支えられている。
【００１８】
前記主軸受と副軸受それぞれに支えられるシャフトの主軸と副軸の軸心を結ぶシャフトの回転中心に対して、固定スクロ−ルと旋回スクロ−ルのそれぞれの渦巻き中心の偏心量すなはち旋回半径分だけ偏心した２個の旋回スクロ−ルそれぞれの旋回軸受に挿入された主軸側の第一旋回軸と副軸側に近い第二旋回軸が互いに偏心方向を１８０°対向させて上下ないしは前後に突出した形状のシャフトを用いることにより、それぞれの旋回スクロ−ルが相対的に１８０°対向した位置で駆動される。
【００１９】
また第一旋回軸と第二旋回軸間に設けた連結部Ａ及び副軸受と第二旋回軸間に設けた連結部Ｂそれぞれの最小の長さとその形状は２個の旋回スクロ−ルをシャフトの定位置に組み込む手順から決定される。
【００２０】
すなはち連結部Ａの最小長さは旋回軸受の幅の２倍強となり、連結部Ｂのそれは旋回軸受の幅の１倍強の寸法で形成される。
【００２１】
さらに、シャフト全体で剛性が最も低くなる連結部Ａの中央括れ部の厚さは、必要な強度を確保するためと組み立て時旋回スクロ−ルの組み入れを可能とするように連結部Ａの全体形状が決められる。連結部Ｂも同様に強度と旋回スクロ−ルの組み入れを可能とするようにその形状が決められる。
【００２２】
前記主軸受と副軸受を備えたそれぞれのフレ−ムとそれぞれに対応する旋回スクロ−ル端板の背面側との間に複数個設けたピンクランク機構ないしは往復摺動面を有するオルダム機構で構成される自転防止機構がそれぞれ１組づつ装着される。その自転防止機構の一部は圧縮室を形成する旋回ラップの端板背面側に掛るように配置されて小型化が図られている。
【００２３】
また、２か所の旋回スクロ−ルに旋回軸を加えた質量の重心位置がシャフト回転中心に対し偏心し互いに１８０°位相反転していることから生じる反対方向の遠心力と釣り合わせるバランサ−が主軸ないしは副軸から外側に離れた位置にそれぞれ各１個づつ向きを互いに反転させてシャフトに設けられ、各バランサ−の重心とそれぞれに近い旋回軸に作用する遠心力の作用中心との距離を等しくして互いのバランサ−形状を合わせるように構成されている。
【００２４】
当該圧縮機の運転中は、旋回スクロ−ルの外周部が低圧空間となり、圧縮ガスが吐出される両歯付き固定スクロ−ルの仕切り板中央の軸貫通穴内は高圧空間が形成される。
【００２５】
高圧空間内に吐出された圧縮ガスは仕切り板内に設けられた吐出孔から直接外部に吐出されるか、または固定スクロ−ル外壁に設けた吐出通路を経て副軸受を有する第二フレ−ムに設けた高圧室に流入した後吐出管から外部に吐出される。    【００２６】
しかし、旋回スクロ−ル内をシャフトが貫通する上記構成においては、仕切り板内の高圧空間と旋回スクロ−ル外周部の低圧空間を遮断してシ−ルする機構が必要となるが、そのオイルフリ−機構に適した手段として２個の旋回スクロールそれぞれの旋回ラップ先端側の旋回軸受に隣接した位置に軸シ−ルを装着して旋回軸受内部を低圧空間とする方法がある。
【００２７】
他の油潤滑構造に適した手段としては２個の旋回スクロ−ル端板背面側とそれらに近い第一フレ−ム及び第二フレ−ムそれぞれとの間にそれぞれリングシ−ルを設けて旋回軸受内部を高圧空間とする方法がある。
【００２８】
旋回スクロ−ルと固定スクロ−ルのそれぞれのラップ先端隙間を低減して圧縮室間をシ−ルする方法として、ラップ先端にチップシ−ルを装着する手段があり、また旋回スクロ−ル端板背面側に高圧ないしは低圧と高圧の中間敵圧力を作用させてそれぞれの旋回スクロ−ルを固定スクロ−ル側に押し付ける方法がある。
【００２９】
上記発明の技術手段に基づく働きは以下の通りである。
【００３０】
両歯付き固定スクロ−ルの圧縮室を分離する仕切り板の内部や外周のフレ−ムを固定する厚肉部を利用して設けたガス通路により圧縮ガスの吐出が容易となる。また、第一と第二圧縮機構部へ流入し圧縮されて吐出されるタイムングを１８０°位相をずらすことによりガス流速が平均化されて圧力脈動が軽減すると同時に圧力損失も低減する。
【００３１】
シャフトに設けた２個の旋回軸は互いに１８０°対向しているので旋回軸に作用する２組の圧縮機構部から生じるガス圧縮荷重及び旋回スクロ−ルを主体とする遠心力は互いに方向が逆となって相殺される。
【００３２】
但し、これら荷重に伴うモ−メントは残るので、ガス荷重に伴うモ−メントを受ける小さな荷重が主軸受と副軸受に作用し、遠心力に伴うモ−メントは主軸受と副軸受近傍に各１個設けた小さなバランサ−で解消させられる。
【００３３】
また両歯付き固定スクロ−ルは一体としてもよいが、圧縮室を分割する仕切り板を渦巻き溝底面に平行に２分割した面に設けた空間に吐出バイパス弁などの制御弁を装着することにより、圧縮機の特性向上が図られる。
【００３４】
旋回軸受や主軸などに転がり軸受を採用し、自転防止機構として転がり軸受を用いたピンクランク機構を適用すると同時に旋回スクロ−ル中央ボス内で旋回軸受の旋回ラップ先端側の隣接した位置に軸シ−ルを２か所装着して高低圧空間を分離することにより、吐出空間に曝された部分を除くシャフトを低圧空間に置いたオイルフリ−機構が容易に達成できる。
【００３５】
または、旋回軸受や主軸などに滑り軸受を採用し、自転防止機構として往復摺動面を有するオルダム機構を適用すると同時に旋回スクロ−ル端板背面とフレ−ムとの間にリングシ−ル機構を装着して高低圧空間を分離することによりシャフト全体を高圧空間に置いた油潤滑構造が容易に得られる。
【００３６】
上記両歯付き固定スクロ−ルを用いた２組の圧縮機構部をさらに複数追加して容量拡大を図る別の発明は容易に考えられる。
【００３７】
別の発明として、第一圧縮機構部の固定スクロ−ルと旋回スクロ−ルの渦巻き状溝間で形成される最小密閉空間の容積と第二圧縮機構部の渦巻き状溝間で形成される最大密閉空間の容積を同等となるように構成した上で前記最小密閉空間と最大密閉空間を連通する通路を設けることにより、２段圧縮機構が容易に構成される。
【００３８】
【発明の実施の形態】
以下、本発明の一実施例を図１ないしは図１９を用いて説明する。
【００３９】
図１は本発明の一実施例を示したオイルフリ−機構に適用した場合の複数連結式スクロ−ル圧縮機の断面図である。断面で示されている部分に第一フレーム１１と左端に配置された第二フレーム１２との間に挟み込むように設けられた隣接している２組の圧縮機構部が示され、第一フレーム１１に固定されたケ−ス１６内に隠れて見えない部分に２組の圧縮機構部を貫くシャフト６に直結したモ−タが収納されている。
【００４０】
また、図２に示されているように円柱の両端面から互いに中央に向けて内側に同じ幅と深さで設けられた２つの渦巻き状の固定溝３ｂと３ｄを中央で仕切る仕切り板３ａのおよそ中央に円形の軸貫通穴３ｆを設けて両歯付き固定スクロ−ル３が構成されている。
【００４１】
その固定スクロ−ル３の右側の第一固定溝３ｂに、円形端板４ａの片面中央部に外壁の輪郭が渦巻き曲線で形成される球根状の軸受ボス４ｃから外側に向けて一定幅の渦巻き状の突起で形成される高さが一様な旋回ラップ４ｂを直立させて設けるとともに軸受ボス４ｃのおよそ中央に開けられた端板４ａをも貫通する軸貫通穴４ｄを有する第一旋回スクロ−ル４の前記旋回ラップ４ｂを噛み合わせて第一圧縮室１が形成され、これらに加えて図４に示されているように当該旋回スクロ−ル端板４ａと第一フレ−ムとの間に設けた３本のクランク軸１５から構成される第一自転防止機構１３及びおよそ図面中央を横に貫通する偏心した旋回軸を有するシャフト６から第一圧縮機構部が構成されている。
【００４２】
また図３に示されているように両歯付き固定スクロ−ル３の左側に設けた第二固定溝３ｄに、第一旋回スクロ−ル４の鏡像となる第二旋回スクロ−ル５の旋回ラップ５ｂを噛み合わせて第二圧縮室２が形成され、これらに加えて当該旋回スクロ−ル端板５ａと第二フレ−ムとの間に設けた３本のクランク軸１５から構成される第二自転防止機構１４及びおよそ図面中央を横に貫通する偏心した旋回軸を有するシャフト６から第二圧縮機構部が構成されている。
【００４３】
第一圧縮室１と第二圧縮室２を形成する渦巻きは非対称ラップ形状で形成されているが、対称ラップ形状でも良く、その巻き方向は図２と図３から判るように第二フレ−ム１２側から見た場合にどちらも反時計回りの同一方向で形成され、渦巻き溝が開口する側から見た場合には巻き方向は逆転して互いに鏡像の関係にある。
【００４４】
従って、一方向から渦巻き中心を合わせて見た場合の第一圧縮室１と第二圧縮室２の渦巻きの巻き始め位置と巻終り位置は同一で重なるように形成されて作動ガスの吸い込み位置と圧縮ガスの吐出位置は同じになる。それに合わせて、固定スクロ−ル仕切り板３ａの吸い込み位置には第一圧縮室１と第二圧縮室２を連通する連通路３ｉが設けられ、仕切り板３ａ中央の吐出位置には軸貫通穴３ｇが設けられて吐出空間３０が形成されている。
【００４５】
そして、固定スクロ−ル３の固定溝の巻き終り外側には第一圧縮室１と第二圧縮室２の吸入側を連通する連通路３ｉが設けられるとともに圧縮ガスを吐出する通路として、端板中央部に設けた吐出空間３０に開口する吐出孔３ｇとそれにつながる吐出通路３ｈが設けられ、第二フレームに設けられた吐出通路１２ｃから図１の左端に設けられた高圧室３１に吐出された後吐出管１８から外部に出される。
【００４６】
旋回スクロ−ルの球根形状した軸受ボス４ｃの詳しい形状を図６の中央部拡大図である図１３を用いて説明する。
【００４７】
旋回ラップ４ｂ及び軸受ボス４ｃの輪郭はインボリュ−ト曲線から形成され、軸受ボス外壁の点▲Ｐ▼はインボリュ−ト曲線の開始位置を表す。
【００４８】
点▲Ｐ▼の左に形成されている半円弧形状の壁面は第一固定ラップ３ｃ巻き始め先端壁面に対する包絡線として示され、その先端壁面がラップ歯厚を直径とする半円弧形状をしている場合は、旋回スクロ−ル側の点▲Ｐ▼から始まる半円弧形状の直径は旋回半径の２倍にラップ歯厚を加えた値に等しく設定される。
【００４９】
また、図中＋印の中心点を表すＯａはインボリュ−ト曲線の基礎円中心をＯｂは軸貫通穴４ｄ及び旋回軸受４ｅの中心点を表している。
【００５０】
そして、Ｏａに対するＯｂの相対的な座標は、点▲Ｐ▼とこれより半周すなはちπラジアン外に進んだ点▲Ｑ▼との中間点ないしは第一チップシ−ル２２が点▲Ｑ▼近傍まで設けられている場合には第一チップシ−ルの内線で点▲Ｑ▼に最も近い点と点▲Ｐ▼との中間点として設定される。
【００５１】
図７に示す旋回軸受４ｅには転がり軸受が用いられているが、旋回軸表面との接触長さすなはち軸受幅Ｌｂは旋回スクロ−ルの重心点と旋回ラップの高さ方向の中央位置との距離から決められ、Ｌｂはこの距離より１割前後から２割長くするのが好適であり、第二旋回スクロ−ルの旋回軸受５ｅも同様に構成される。
【００５２】
これら旋回軸受を複数個の玉軸受で構成する場合には、前記Ｌｂは両端に配置された玉軸受の中心間距離に相当する。
【００５３】
さらには、軸貫通穴４ｄの吐出空間３０に連通する第一旋回ラップ先端側と低圧空間に連通する端板３ａ背面側の空間を仕切る軸シ−ル７が第一旋回軸受４ｅの第一旋回ラップ先端側に設けられている。第二旋回スクロールの軸貫通穴５ｄ内にも同様に高低圧空間を仕切る軸シ−ルが第二旋回軸受５ｅの吐出空間側に設けられている。
【００５４】
固定スクロ−ルの平面図である図１２の中央部拡大図の図１４に示した＋印の中心点を表すＯａはインボリュ−ト曲線の基礎円中心をＯｂは軸貫通穴３ｆの中心を表している。Ｏｂの位置はシャフトの回転中心すなはち主軸受１１ａと副軸受１２ａの軸心を結ぶ線におよそ一致しており、その軸貫通穴の直径は旋回軸の直径に旋回半径の２倍を加えた値に等しいかそれより若干大きく設定されている。  
【００５５】
図１５のシャフト６に設けた第一旋回軸６ａと第二旋回軸６ｂは主軸６ｃと副軸６ｄの軸心に対して共に旋回半径だけ偏心しているのと同時に互いに１８０°対向した位置に配置されている。
【００５６】
これら旋回軸は第一旋回スクロ−ルの軸貫通穴４ｄ内に装着された旋回軸受４ｅと第二旋回スクロ−ルの軸貫通穴５ｄ内に装着された旋回軸受５ｅにそれぞれ挿入される。
【００５７】
また、第一旋回軸６ａと第二旋回軸６ｂとの間には連結部Ａ６ｅが、第二旋回軸６ｂと副軸６ｄとの間には連結部Ｂ６ｆが設けられているが、これら連結部２か所の形状はシャフトに加わる荷重を支えるに必要な強度を確保するためと第一旋回スクロ−ル４と第二旋回スクロ−ル５を所定の位置まで組み込む方法から決められる。
【００５８】
図中の連結部Ａの長さＬ１とＬ２は共に第一旋回スクロ−ルの旋回軸受４ｅに軸シ−ル７の幅を加えた長さにおよそ等しく、第二旋回軸６ｂの長さＬ３は旋回軸受５ｅに軸シ−ル７の幅を加えた長さにおよそ等しい。そして、連結部Ｂの長さＬ４はＬ１かＬ３の内長いほうに合わせる。
【００５９】
図１の慣性力が作用する軸系をモデル化した図１９に示すようにシャフトの第一旋回軸に作用する第一旋回スクロ−ル４と第一旋回軸６ａの遠心力Ｗ２と第二旋回軸に作用する第二旋回スクロ−ル５と第二旋回軸６ｂの遠心力Ｗ１は互いに方向が反対で大きさがおよそ等しいので力は釣り合って相殺されるが、残される回転モ−メントを消去するために図に示すような小さな遠心力Ｗ３とＷ４を有するバランサ−が主軸受１１ａと副軸受１２ａの前後にそれぞれ配置される。そして、Ｗ３とＷ４の大きさはＷ１とＷ２よりそれぞれ遠ざかるほど小さな値で済むことになる。
【００６０】
また図１５に示すシャフト６の外観図からおよそ判別できるように、第一旋回軸６ａ、第二旋回軸６ｂ、主軸６ｃ及び副軸６ｄの径を全て等しくして、連結部Ｂ６ｆよりおよそ２倍長い連結部Ａ６ｅを設けて構成させることもできる。
【００６１】
以上の如く構成された複数連結式スクロ−ル圧縮機の働きについて以下説明する。
【００６２】
モ−タに直結されたシャフト６が回転することにより、第一旋回軸６ａから動力が伝達されて第一旋回スクロ−ル４が駆動されるが、３本のクランク軸１５からなる自転防止機構により第一旋回スクロ−ルは円軌道上の公転運動すなはち旋回運動を行い固定スクロ−ル３との間に形成される第一圧縮室１に外周からガス吸い込んだ後に圧縮して中央の吐出空間３０に流出させる。
【００６３】
第二旋回軸６ｂから動力が伝達される第二旋回スクロ−ル５も第一旋回スクロールと同様の働きをするが、旋回運動及び圧縮行程は第一旋回スクロールより１８０°位相のずれた状態となるために、圧縮室へのガスの流入及び吐出空間へのガスの流出は第一圧縮室１と第二圧縮室２から交互に行われて、吸い込み側と吐出側のガス速度の変動が少なく圧力脈動も小さくなる。
【００６４】
吐出空間に流出したガスは固定スクロールに設けた吐出孔及び吐出通路から第二フレ−ム内の吐出通路を経て高圧室３１に流入し、吐出管から外部に流出する。
【００６５】
そして、第一旋回スクロ−ル４と第二旋回スクロ−ル５に独立して構成されることによりガス圧縮に伴なうガス圧縮荷重及び旋回スクロ−ルの遠心力の分散による旋回軸受への負荷が大幅に軽減することや第一圧縮室と第二圧縮室の旋回運動が互いに１８０°位相が異なることからガス圧縮に伴なうガス圧縮荷重及び旋回スクロ−ルの遠心力が相殺されて、主軸受１１ａ及び副軸受１２ａへの負荷の大幅な軽減が可能となる。
【００６６】
また、第一と第二の旋回軸受、主軸受と副軸受及び３個２組あるピンクランク機構の各軸受それぞれを転がり軸受で構成すると同時に２か所ある旋回軸受の吐出空間側の隣接した位置に設けた軸シ−ルにより高低圧空間が仕切られることにより容易にオイルフリ−機構が構成される。
【００６７】
次に、図１の発明では固定スクロ−ルは一体構成としたが、図９に示した端板中央を縦に割って固定スクロ−ルを２分割にした端板面にガス通路や弁機構を装着した後合わせて一体として構成することも容易に類推できる。
【００６８】
また第一圧縮室と第二圧縮室の渦巻き形状及び圧縮行程の位相を変えることも容易に類推できるが、この場合に第一旋回スクロールの組み込み上第二旋回軸の偏心量は第一旋回軸の偏心量より小さくする必要がある。
【００６９】
図１の発明はオイルフリ−機構を前提とした構成で示しているが、ケ−ス内に潤滑油を封入して滑り軸受で構成された各摺動部に油を供給して潤滑する構成を図示していないが、高低圧空間の仕切り位置を図１の軸シ−ルを廃止して旋回スクロ−ルの端板とフレ−ムとの間に移動して公知技術となっているリングシ−ルを装着するとともに自転防止機構としてオルダム機構を用いて、その内側に作用する高圧により旋回スクロ−ルを押し付ける構成とすることにより容易に達成される。
【００７０】
さらに図１の発明から容易に類推できる別の発明として、第一圧縮室の吐出直前に形成される最小密閉空間の容積と第二圧縮室の圧縮行程開始直前の最大密閉空間の容積を同一に形成し該最小密閉空間と該最大密閉空間を連通する通路を設けることにより２段式圧縮機構が容易に達成される。
【００７１】
【発明の効果】
以上の如く構成された複数連結式スクロール圧縮機において、第一及び第二旋回スクロ−ル端板背面に設けた空間に自転防止機構を装着することにより、旋回スクロ−ルの端板の大きさは自転防止機構を除く渦巻き形状から決められることから圧縮機の小型軽量化が図れる効果がある。
【００７２】
２個の旋回スクロ−ルを独立させると同時に１８０°対向させた動きを与えることにより、２か所の旋回軸受や主軸受と副軸受さらには自転防止機構に作用する遠心力やガス圧縮荷重を分散させるとともに大幅に軽減できることにより軸受の耐久性が向上する。さらに、第一圧縮室と第二圧縮室で発生するガス圧縮荷重が互いに相殺されてトルク変動が小さくなって低振動化が図れる効果がある。
【００７３】
また、主軸受や副軸受に作用する荷重は大幅に軽減できることや２個ある独立して構成された旋回スクロールそれぞれの圧縮室間シ−ル隙間の最適化を図ること、そして剛性の高い固定スクロール側を両歯とすることにより渦巻きの加工精度が高められて高効率化が図れる効果がある。
【００７４】
さらには、シャフトの副軸をさらに延ばして４組以上の圧縮機構部を連結して大容量化を図ることや両歯付き固定スクロ−ルの中央吐出空間を２分することにより２段圧縮機構も容易に構成できる効果がある。
【図面の簡単な説明】
【図１】本発明のスクロール圧縮機の断面図
【図２】図１のＡ−Ａ断面図
【図３】図１のＢ−Ｂ断面図
【図４】図１のＣ−Ｃ断面図
【図５】図１のＤ−Ｄ断面図
【図６】第一旋回スクロールの平面図
【図７】図６のＡ−Ａ断面図
【図８】第一圧縮室側の両歯付き固定スクロールの側面図
【図９】図８のＡ−Ａ断面図
【図１０】図８のＢ−Ｂ断面図
【図１１】第二旋回スクロールの平面図
【図１２】第二圧縮室側の両歯付き固定スクロールの側面図
【図１３】図６の中央拡大図
【図１４】図８の中央拡大図
【図１５】シャフトの正面図
【図１６】図１５のＡ矢視図
【図１７】図１５のＢ−Ｂ断面図
【図１８】図１５のＣ−Ｃ断面図
【図１９】シャフトに作用する遠心力のモデル図
【符号の説明】
１  第一圧縮室
２  第二圧縮室
３  固定スクロ−ル
３ａ  仕切り板
３ｂ  第一固定溝
３ｃ  第一固定ラップ
３ｄ  第二固定溝
３ｅ  第二固定ラップ
３ｆ  軸貫通穴  
３ｇ  吐出孔
４  第一旋回スクロ−ル
４ａ  端板
４ｂ  旋回ラップ  
４ｃ  軸受ボス
４ｄ  軸貫通穴  
４ｅ  旋回軸受  
５  第二旋回スクロ−ル
５ａ  端板
５ｂ  旋回ラップ
５ｃ  旋回ボス
５ｄ  軸貫通穴  
５ｅ  旋回軸受
６  シャフト
６ａ  第一旋回軸  
６ｂ  第二旋回軸  
６ｃ  主軸  
６ｄ  副軸
６ｅ  連結部Ａ
６ｆ  連結部Ｂ
７  第一軸シ−ル
８  第二軸シ−ル
９  第一バランサ
１０  第二バランサ
１１  第一フレ−ム
１１ａ  主軸受
１２  第二フレ−ム
１２ａ  副軸受
１３  第一自転防止機構
１４  第二自転防止機構
１５  クランク軸
３０  吐出空間
３１  高圧室